(57)【要約】      （修正有）【課題】電磁干渉の遮蔽効果を大いに改善し、回路から接地への電気伝導を改善し、更にはケーブルの伝送速度を改善する。【解決手段】ケーブルコネクタ１であって、絶縁シース１１５の内側の遮蔽層、及び少なくとも１本の導電性ワイヤを備えた、少なくとも１本のケーブル１１と、金属シェル１２１，１２２を備えたコネクタ１２であって、遮蔽層は、少なくとも１本のケーブルの一端部で絶縁シースの外に露出し、導電性エラストマーは、露出した遮蔽層上に外装され、ケーブル受容部が少なくとも１本のケーブルを圧搾するとき、導電性エラストマーが変形され、ケーブル受容部と少なくとも１本のケーブルとの間の間隙の大部分を充填する。【選択図】図５
2018026350.tif 000002
【特許請求の範囲】
【請求項１】
ケーブルコネクタであって、
絶縁シース、該絶縁シースの内側の遮蔽層、及び少なくとも１本の導電性ワイヤを備えた、少なくとも１本のケーブルと、
金属シェルを備えたコネクタであって、前記金属シェルが、少なくとも１本のケーブルを装着するケーブル受容部を備え、少なくとも１本のケーブルが前記コネクタ内に挿入されて、該コネクタ及び少なくとも１本の導電性ワイヤが電気的に接続されることを可能にする、コネクタと、を備え、
前記遮蔽層が、少なくとも１本のケーブルの端部で前記絶縁シースの外に露出し、導電性エラストマーが、露出した遮蔽層上に外装され、前記ケーブル受容部が少なくとも１本のケーブルを圧搾するとき、前記導電性エラストマーが、変形され、前記ケーブル受容部と少なくとも１本のケーブルとの間の間隙の大部分を充填する、ケーブルコネクタ。
【請求項２】
少なくとも１本のケーブルの端部にある露出した遮蔽層が、該遮蔽層を前記絶縁シースの外面の上に外向きに折り返すことにより形成された外向き折り返し遮蔽層であり、前記導電性エラストマーが、前記外向き折り返し遮蔽層の上に外装されている、請求項１に記載のケーブルコネクタ。
【請求項３】
可撓性導電性テープが、少なくとも１本のケーブルの前記導電性エラストマーの外周の周囲に巻かれている、請求項１又は請求項２に記載のケーブルコネクタ。
【請求項４】
少なくとも２本のケーブルが、ケーブル束として統合され、前記可撓性導電性テープが、前記ケーブル束の導電性エラストマーの外周の周囲に巻かれている、請求項３に記載のケーブルコネクタ。
【請求項５】
４本のケーブルが、ケーブル束として統合され、前記可撓性導電性テープが、前記ケーブル束の導電性エラストマーの外周の周囲に巻かれている、請求項３に記載のケーブルコネクタ。
【請求項６】
前記導電性エラストマーが、導電性発泡体である、請求項１又は２に記載のケーブルコネクタ。
【請求項７】
前記可撓性導電性テープが、導電性布である、請求項３に記載のケーブルコネクタ。
【請求項８】
前記導電性布が、導電性繊維布又は導電性不織布である、請求項７に記載のケーブルコネクタ。
【請求項９】
前記金属シェルが、上部シェル及び下部シェルを有する、請求項１又は２に記載のケーブルコネクタ。
【請求項１０】
前記上部シェル及び前記下部シェルがそれぞれ、内部に曲線形状を有する対応する受容半部を有し、前記上部シェル及び前記下部シェルが組み立てられた後に、前記受容半部が、少なくとも１本のケーブルを締め付ける前記ケーブル受容部を内部に形成する、請求項９に記載のケーブルコネクタ。
【発明の詳細な説明】
【技術分野】
【０００１】
本開示は、ケーブルコネクタに関し、より具体的には、構造が改善されたケーブルコネクタに関する。
【背景技術】
【０００２】
ケーブルコネクタは、電子デバイス間で信号を伝送するための重要な部品であり、ケーブルコネクタの種類は、何年もの開発の後ますます豊富になってきており、様々なケーブルコネクタは、主にケーブル内の金属導体及びコネクタ内の金属端子により信号を伝送する。公知のケーブルコネクタアセンブリは、一般的に、コネクタと、コネクタと接続するケーブルと、ケーブルとコネクタとの間に設けられる保持具とを備え、保持具は、水平に配置された上面と、それぞれ上面の２つの端部から下向きかつ外向きに斜めに延在する接続部と、それぞれ接続部から下向きに延在するラッチ部とを備え、ラッチ部は、コネクタ内に掛止され、上面とコネクタが共にケーブルを締め付けて、ケーブルをコネクタ内に保持する。保持具の上面は、コネクタ内に水平に配置され、そのためコネクタの幅は、設計上、より大きくなる。
【０００３】
この技術的問題を解決するため、ケーブルコネクタ２が中国実用新案第ＣＮ２０１７０８３６９Ｕ号に開示されており、ケーブルコネクタ２のコネクタ２２は、より小さい幅を有するように設計されている。図１ａ及び図１ｂに示すように、ケーブルコネクタ２は、コネクタ２２と、コネクタ２２の一端部と接続するケーブル２１と、コネクタ２２とケーブル２１との間に設けられる正六角形の断面を有する導電性リング２３とを備えている。コネクタ２２は、上部シェル２２１、及び上部シェル２２１に固定及び接続され、上部シェル２２１と協働する下部シェル２２２と、下部シェル２２２内に収容された嵌合ボード２２３であって、嵌合ボード２２３は、前方端部及び後方端部の２つの面の上に導電性パッド２２３１を備え、前方端部の２つの面の上の導電性パッド２２３１が、嵌合コネクタと電気的に接続されていてもよく、後方端部の２つの面の上の導電性パッド２２３１が、ケーブル２１に電気的に接続されている、嵌合ボード２２３と、上部シェル２２１の外側に装着された施錠構造２４と、を備えている。上部シェル２２１は、上部受容溝２２１１を備え、下部シェル２２２は、下部受容溝２２２１を備え、上部シェル２２１及び下部シェル２２２が組み立てられると、上部受容溝２２１１及び下部受容溝２２２１は、水平方向に平行して配置され、かつそれぞれ正六角形の断面を有する、一対の受容部２２４を共に形成する。
【０００４】
図１ａ及び図１ｂに図示する２本のケーブル２１はそれぞれ、複数のコアワイヤ２１１、コアワイヤ２１１を取り囲む錫箔層２１２、錫箔層２１２を取り囲む遮蔽編組２１３、及び遮蔽編組２１３を取り囲む外側囲撓層２１４を備えている。各ケーブル２１の遮蔽編組２１３の一部分は、コネクタ２２に面する一端部で、各ケーブル２１の外側囲撓層２１４の外面の上に折り返され、ケーブル２１の外側囲撓層２１４の上に折り返された遮蔽編組２１３の部分の上に導電性リング２３が外装される。ケーブル２１がコネクタ２２の上に装着された後、ケーブル２１の遮蔽編組２１３は、導電性リング２３を介して、コネクタ２２の上部シェル２２１及び下部シェル２２２により接地される。導電性リング２３は、一対のケーブル２１がコネクタ２２内で水平に平行して固定されるように、受容部２２４内に固定される。
【０００５】
上記導電性リング２３は、剛性の金属材料であり、導電性リング２３が受容部２２４内に受容されるとき剛性な形状であり、これにより、導電性リング２３の正六角形形状は、導電性リング２３が円形ケーブル２１の外面の上に完全に付着することは不可能であることを決定付け、更には外側囲撓層２１４の上に折り返された遮蔽編組２１３が導電性リング２３に完全に接触することを可能にする。図から分かるように、導電性リング２３と遮蔽編組２１３との間の接触、及び導電性リング２３と上部シェル２２１及び下部シェル２２２との間の接触は、完全に緊密ではなく、様々なサイズの多くの間隙が存在し、これらの間隙は、接地効果に影響を与え、更にはケーブルの高周波伝送速度に影響を与える。
【発明の概要】
【課題を解決するための手段】
【０００６】
先行技術における不備を考慮して、本開示の目的は、電磁遮蔽を改善し、接地効果を改善し、かつケーブルの高周波伝送速度を改善する、ケーブルコネクタを提供することである。
【０００７】
本明細書において具現化及び要約するように、これらの利点及び他の利点を達成するために、並びに本開示の目的に基づくために、本開示は、ケーブルコネクタであって、絶縁シース、絶縁シースの内側の遮蔽層、及び少なくとも１本の導電性ワイヤを備えた、少なくとも１本のケーブルと、金属シェルを備えたコネクタであって、金属シェルが、少なくとも１本のケーブルを装着するケーブル受容部を備え、少なくとも１本のケーブルがコネクタ内に挿入されて、コネクタ及び少なくとも１本の導電性ワイヤが電気的に接続されることを可能にする、コネクタと、を備え、遮蔽層が、少なくとも１本のケーブルの一端部で絶縁シースの外に露出し、導電性エラストマーが、露出した遮蔽層上に外装され、ケーブル受容部が少なくとも１本のケーブルを圧搾するとき、導電性エラストマーが変形され、ケーブル受容部と少なくとも１本のケーブルとの間の間隙の大部分を充填する、ケーブルコネクタを提供する。
【０００８】
ある実施形態では、少なくとも１本のケーブルの一端部にある露出した遮蔽層は、遮蔽層を絶縁シースの外面の上に外向きに折り返すことにより形成された外向き折り返し遮蔽層であり、導電性エラストマーが、外向き折り返し遮蔽層の上に外装される。
【０００９】
ある実施形態では、可撓性導電性テープが、少なくとも１本のケーブルの導電性エラストマーの外周の周囲に巻かれている。
【００１０】
ある実施形態では、少なくとも２本のケーブルが、ケーブル束として統合され、可撓性導電性テープが、ケーブル束の導電性エラストマーの外周の周囲に巻かれている。
【００１１】
ある実施形態では、４本のケーブルが、ケーブル束として統合され、可撓性導電性テープが、ケーブル束の導電性エラストマーの外周の周囲に巻かれている。
【００１２】
ある実施形態では、導電性エラストマーが、導電性発泡体である。
【００１３】
ある実施形態では、可撓性導電性テープが、導電性布である。
【００１４】
ある実施形態では、導電性布が、導電性繊維布又は導電性不織布である。
【００１５】
ある実施形態では、金属シェルが、上部シェル及び下部シェルを有する。
【００１６】
ある実施形態では、上部シェル及び下部シェルがそれぞれ、内部に曲線形状を有する対応する受容半部を有し、上部シェル及び下部シェルが組み立てられた後に、受容半部が、少なくとも１本のケーブルを締め付けるケーブル受容部を内部に形成する。
【００１７】
本開示の有利な効果は、導電性エラストマーが、金属シェルのケーブル受容部間の間隙を充填し、導電性布及びケーブル受容部は、緊密に大面積で接触することにあり、そのことにより、電磁干渉の遮蔽効果を大いに改善することができ、ケーブルの高周波伝送速度を改善することができる。
【００１８】
上記及び他の本開示の目的、特徴、態様、及び利点は、添付された図面と組み合わせて、以下の詳細な説明を通じて明らかになるであろう。
【図面の簡単な説明】
【００１９】
本開示を図面に従って詳細に説明する。
【００２０】
【図１ａ】先行技術のケーブルコネクタによる分解斜視図である。
【図１ｂ】先行技術のケーブルコネクタによる断面図である。
【図２ａ】本開示によるケーブル及び導電性エラストマーの斜視図である。
【図２ｂ】導電性エラストマーがケーブルの遮蔽層の上に外装された、本開示によるケーブルの斜視図である。
【図３ａ】本開示によるケーブルの模式図である。
【図３ｂ】図３ａの線Ｚ−Ｚに沿ってとられたケーブルの断面図である。
【図４】本開示によるケーブル束のある実施形態の斜視図である。
【図５】本開示によるケーブルコネクタの分解斜視図である。
【図６ａ】本開示によるコネクタの側面図である。
【図６ｂ】図６ａの線Ｚ−Ｚに沿ってとられたコネクタの断面図である。
【図６ｃ】本開示によるケーブル束がコネクタの金属シェル内に模式的に配置されている、図６ａの線Ｚ−Ｚに沿ってとられたコネクタの断面図である。
【図７】本開示によるケーブルコネクタの斜視図である。
【００２１】
符号は、以下のように表されている。
【００２２】
１    ケーブルコネクタ
１１    ケーブル
１１０    導電性ワイヤ
１１１    信号ワイヤ
１１２    接地ワイヤ
１１３    内側絶縁層
１１４    内部遮蔽層
１１５    絶縁シース
１１６    外向き折り返し遮蔽層
１１７    導電性エラストマー
１１８    可撓性導電性テープ
１２    コネクタ
１２１    上部シェル
１２１１    上部シェルの前方端部
１２１２    上部シェルの後方端部
１２１３    上部シェルの受容半部
１２１４    隆起部
１２２    下部シェル
１２２１    下部シェルの前方端部
１２２２    下部シェルの後方端部
１２２３    下部シェルの受容半部
１２３    嵌合ボード
１２３１    導電性パッド
１３    保護カバー
１３０    ケーブル受容部
２    ケーブルコネクタ
２１    ケーブル
２１１    コアワイヤ
２１２    錫箔層
２１３    遮蔽編組
２１４    外側囲撓層
２２    コネクタ
２２１    上部シェル
２２１１    上部受容溝
２２２    下部シェル
２２２１    下部受容溝
２２３    嵌合ボード
２２３１    導電性パッド
２２４    受容部
２３    導電性リング
２４    施錠構造
【発明を実施するための形態】
【００２３】
以下、添付された図面と組み合わせて本開示を更に詳細に説明する。
【００２４】
本開示は、異なる形態の実施形態が可能であり、具体的な実施形態が図面で示され、また本明細書で詳細に説明されているが、本開示は、本開示の原理の例証であるとみなされ、本開示を例示されたものに限定することを意図しないという理解の下で行われる。
【００２５】
よって、特徴又は態様への言及は、本開示の実施例の特徴を説明することを意図するものであり、本開示の全ての実施形態が、説明される特徴又は態様を有しなければならないことを含意することを意図するものではない。更に、記載はいくつかの特徴を例示していることに留意するべきである。特定の特徴を組み合わせて潜在的なシステム設計が例示されてきたが、それらの特徴は、明示的に開示されていない他の組み合わせにおいても使用することができる。したがって、描かれている組み合わせは、特に指示がない限り、限定的であることを意図しない。
【００２６】
図面に例示されている実施形態において、本開示の様々な要素の構造及び移動を説明するために使用される上下左右、前後等の方向の表示は、絶対的ではなく、相対的である。これらの表示は、要素が図面に示されている位置にあるとき、適切である。しかしながら、要素の位置の説明が変化する場合、これらの表示はそれに応じて変更されるべきである。
【００２７】
図２ａ、図２ｂ、図３ａ、図３ｂ、図３ａ、及び図３ｂでは、本開示によるケーブル１１がそれぞれ図示されている。本開示の実施形態によるケーブル１１は、２本の導電性ワイヤ１１０であって、２本の導電性ワイヤ１１０がそれぞれ、２本の信号ワイヤ１１１及び接地ワイヤ１１２を備え、各導電性ワイヤ１１０内の２本の信号線１１１が、差動信号対、例えば正の信号及び負の信号を伝送するように、対として使用されることが好ましい、２本の導電性ワイヤ１１０と、２本の導電性ワイヤ１１０を完全に囲撓する内側絶縁層１１３と、内側絶縁層１１３を取り囲む遮蔽層１１４であって、例えば導電性金属編組により形成され得る、遮蔽層１１４と、遮蔽層１１４を外側から取り囲む絶縁シース１１５と、を備える。本開示によれば、コネクタ１２と嵌合するためのケーブル１１の一端部で、絶縁シース１１５は、遮蔽層１１４を露出させるようにある切片だけ切り離され、露出した遮蔽層１１４は、絶縁シース１１５が切り離された位置で絶縁シース１１５の上に外向きに折り返されて絶縁シース１１５の外面の上に付着し、絶縁シース１１５の外面の上に外向きに折り返された外向き折り返し遮蔽層１１６は、絶縁シース１１５の外面の上に後向きに延在し、次いでその上の導電性エラストマー１１７により外装され、導電性エラストマー１１７は、例えば導電性発泡体から形成され、導電性発泡体は、低コストかつ多目的用途の導電性遮蔽用途材料であり、圧縮性（復元力）、良好な充填性能、良好な電磁遮蔽、高い導電性、耐熱性等の利点を有し、導電性発泡体は、とりわけ良好な圧縮性及び充填性能のゆえに、ケーブル１１と金属シェルのケーブル受容部１３０との間の間隙を充填するために本開示で使用され、導電性エラストマー１１７は、ケーブル１１に対応する中空の円筒形状として構成される。ある実施形態では、例えば、絶縁シース１１５の一部分が切り離された後に、ある特定の長さの遮蔽層１１４が露出され得、次いで、導電性エラストマー１１７が、遮蔽層１１４を外向きに折り返すことなしに、露出した遮蔽層１１４の上に直接外装され得る。ある実施形態では、ケーブル１１の上記の層に加えて、他の絶縁体、錫箔層、遮蔽層、又は他の層が更に追加されてもよい。各ケーブル１１は、２本の導電性ワイヤ１１０を備えている。別の実施形態では、各ケーブル１１は、１本の導電性ワイヤ１１０のみ又は３本以上の導電性ワイヤ１１０を備えていてもよい。
【００２８】
図２ｂでは、中空の円筒形状を有する導電性エラストマー１１７は、ケーブル１１の外向き折り返し遮蔽層１１６の上に外装され、導電性エラストマー１１７の一方端部は、絶縁シース１１５が切り離された絶縁シース１１５の位置に概ね位置合わせされ、導電性エラストマー１１７の長手方向延在部がケーブル１１の長手方向軸の方向に沿って外向き折り返し遮蔽層１１６の上に外装されることを可能にし、このようにして、導電性エラストマー１１７は、導電性エラストマー１１７が外装された後に、外向き折り返し遮蔽層１１６の一部分を被覆する。
【００２９】
図３ａ及び図３ｂは、本開示によるケーブル１１を図示し、左側の図３ａは、本開示によるケーブル１１の模式図を図示し、右側の図３ｂは、図３ａの線Ｚ−Ｚに沿ってとられたケーブル１１の断面図を図示する。図３ａから分かるように、信号ワイヤ１１１は、ケーブル１１の頂部の上で内側絶縁層１１３から露出して、対応する接点に接続し、導電性エラストマー１１７は、絶縁シース１１５の上に外向きに折り返された外向き折り返し遮蔽層１１６の上に外装されて、外向き折り返し遮蔽層１１６の一部分を被覆し、この図では、絶縁シース１１５が切り離される位置は、導電性エラストマー１１７の上端部に完全には位置合わせされてなく、わずかに突出しており、外向き折り返し遮蔽層１１６の上に配置された導電性エラストマー１１７の位置は、用途に応じて様々であってよいが、導電性エラストマー１１７は、導電性エラストマー１１７の内面全部を外向き折り返し遮蔽層１１６に完全に接触させ、それにより確実な接地効果を確保することが好ましい。
【００３０】
図３ｂは、ケーブル１１の構造を断面図により詳細に図示しており、最内層は、２本の導電性ワイヤ１１０であり、２本の導電性ワイヤ１１０はそれぞれ、２本の信号ワイヤ１１１及び１本の接地ワイヤ１１２を備え、２本の導電性ワイヤ１１０内では、２つの差動信号対が伝送される。内側絶縁層１１３は、導電性ワイヤ１１０の絶縁性囲撓部を囲撓し、次いで、内部遮蔽層１１４が、内側絶縁層１１３を取り囲み、絶縁シース１１５が、内部遮蔽層１１４を取り囲む。内部遮蔽層１１４は、絶縁シース１１５が切り離された位置で絶縁シース１１５の外面の上に外向きに折り返され、それにより外向き折り返し遮蔽層１１６を形成し、導電性エラストマー１１７は、外向き折り返し遮蔽層１１６の上に外装される。ケーブルの外装構造及び積層構造により、良好な電磁遮蔽性能が提供され得、電流は、導電性エラストマー１１７を通じて外向きに確実に誘導され得る。その上、各導電性ワイヤ１１０は、図３ｂにおいて導電性ワイヤ１１０の断面図により示すように、その信号ワイヤ及び接地ワイヤを取り囲むように多層の絶縁体、錫箔層、又は更なる遮蔽層を有してもよい。
【００３１】
図４は、本開示によるケーブル束のある実施形態の斜視図を図示する。この実施形態では、１本のケーブル束が、４本のケーブル１１により統合され、１本の可撓性導電性テープ１１８が、ケーブル１１の全ての導電性エラストマー１１７の外周の周囲に巻かれている。この実施形態では、可撓性導電性テープ１１８は、その可撓性特性及び低インピーダンス特性を有する導電性布、例えば導電性繊維布又は導電性不織布であってもよく、可撓性導電性テープ１１８は、電磁干渉を遮蔽するために使用され、回路から接地への電気伝導用に設計されている。ケーブル束のケーブル１１の数も、所望のとおりに決定されてもよい。有利なことに、１本のケーブル１１の上に外装された１つの導電性エラストマー１１７の上にのみ可撓性導電性テープ１１８を巻くことも可能である。
【００３２】
図５、図６ａ、図６ｂ、及び図６ｃは、本開示によるケーブルコネクタ１を図示する。図５は、図１ａに対応する本開示によるケーブルコネクタ１の分解斜視図を図示し、ケーブルコネクタ１は、コネクタ１２とケーブル１１又は少なくとも１本のケーブル１１を含むケーブル束とを備え、コネクタ１２は、金属シェルを備え、金属シェルは、上部シェル１２１及び下部シェル１２２を有する。図４による４本のケーブル１１を含むケーブル束は、上部シェル１２１の後方端部１２１２と下部シェル１２２の後方端部１２２２との間から、上部シェル１２１と下部シェル１２２との間のケーブル受容部１３０内に設けられ、それぞれ４本のケーブル１１から外に延在する信号ワイヤ１１１は、嵌合ボード１２３の後方端部の導電性パッド１２３１に接続、例えば半田付けされ、嵌合ボード１２３は、金属の下部シェル１２２の前方端部１２２１内に堅固に固定され、嵌合ボード１２３は、上部シェル１２１と下部シェル１２２とが係合された後に、上部シェル１２１及び下部シェル１２２と共にコネクタ１２の嵌合部を形成し、嵌合ボード１２３の導電性パッド１２３１は、嵌合ボード１２３の後方端部から嵌合ボード１２３の前方端部に延在し、嵌合コネクタの対応する接点に電気的に接触する。この図から、受容半部１２２３が、下部シェル１２２の後方端部１２２２内に設けられ、曲線形状として構成され、上部シェル１２１の後方端部１２１２内に構成された受容半部１２１３（図６ｂ）に対応するように構成され、受容半部１２２３及び受容半部１２１３は、受容半部１２２３と受容半部１２１３とが結合された後に、ケーブル束を締め付けるケーブル受容部１３０を協働して形成することも分かる。
【００３３】
図６ａ、図６ｂ、及び図６ｃは、本開示のケーブルコネクタ１のコネクタ１２を図示し、コネクタ１２は、金属の上部シェル１２１及び金属の下部シェル１２２を有する。図６ａの側面図から、嵌合ボード１２３が、金属の下部シェル１２２の前方端部１２２１から外へ延在することが分かる。上部シェル１２１は、後方端部１２１２の上に隆起部１２１４を有するように構成され、隆起部１２１４の高さは、コネクタ１２内でケーブル束を締め付けるためのケーブル受容部１３０の空間を構成するより大きな収容空間を上部シェル１２１の内側に得るために、前方端部１２１１の高さより高い。
【００３４】
図６ｂは、下部シェル１２２の後方端部１２２２及び上部シェル１２１の後方端部１２１２を通過する線Ｚ−Ｚを通る断面図を図示し、この図から、隆起部１２１４の位置における上部シェル１２１の高さがより高いため、上部シェル１２１の後方端部１２１２の高さは、下部シェル１２２の後方端部１２２２の高さに実質的に等しいことが分かり、これにより、受容半部１２１３、１２２３はそれぞれ、上部シェル１２１の後方端部１２１２及び下部シェル１２２の後方端部１２２２内に設けられ、２つの受容半部１２１３、１２２３は、同じ曲線形状として構成され、上部シェル１２１と下部シェル１２２とが組み立てられた後に中空のケーブル受容部１３０を形成するように結合され、ケーブル束は、ケーブル受容部１３０内に締め付けられることが分かる。
【００３５】
図６ｃは、図６ａの線Ｚ−Ｚに沿ってとられた断面図を模式的に図示し、この図では、締め付けられたケーブル束が、ケーブル受容部１３０内に配置されている点で図６ｂとは異なる。外装された導電性エラストマー１１７と、ケーブル束の導電性エラストマー１１７の外面を取り囲む可撓性導電性テープ１１８とがケーブル受容部１３０の位置内に配置された後、上部シェル１２１及び下部シェル１２２は、例えば共に掛止され、ねじにより固定され、受容半部１２１３、１２２３は、当初円形である導電性エラストマー１１７と、導電性エラストマー１１７の周囲に巻かれた可撓性導電性テープ１１８と、ケーブル１１とを圧搾してそれらの曲線形状構成により変形させ、次いで、導電性エラストマー１１７及び可撓性導電性テープ１１８が、ケーブル受容部１３０の大部分を自己充填し、本開示では、ケーブル束とケーブル受容部１３０との間の間隙は、先行技術と比較してはるかに小さいか、又は全く不在であり、それゆえ可撓性導電性テープ１１８及びケーブル受容部１３０は、大面積接触が生じ、それによりケーブル１１とコネクタ１２との間の接触を電気的に改善し、このようにして、本開示は、電磁干渉の遮蔽効果を大いに改善し、回路から接地への電気伝導を改善し、更にはケーブルの伝送速度を改善することができる。
【００３６】
図７は、本開示によるケーブルコネクタ１の斜視図を簡潔に図示する。４本のケーブル１１を含むケーブル束は、後方からコネクタ１２内に挿入され、ケーブルコネクタ１は、保護カバー１３の外面の上にリブを有する保護カバー１３を有してもよく、コネクタ１２の保護カバー１３は、ケーブルコネクタ１が使用されないとき、コネクタ１２の嵌合部を被覆してコネクタ１２内のコンポーネントを保護してもよく（例えば、嵌合ボード１２３が損傷されない）、ケーブルコネクタ１が使用される場合、保護カバー１３は、ケーブルコネクタ１のコネクタ１２から取り外すことができる。
【００３７】
上述の実施形態及び利点は、単に例示的なものであり、本開示を限定すると解釈されるべきではない。本明細書中の記載は、請求項の範囲を限定することではなく、一例になることを意図したものである。様々な代替物、変形例、及び修正が、当業者には明らかであろう。本明細書に記載の例示的な実施形態の特徴、構造、方法、及び他の特性を様々な方法で組み合わせて、他の例示的な実施形態及び／又は代替的な実施形態を得ることができる。
【００３８】
本開示の特徴は、本開示の特性から逸脱することなく多くの形態で具現化することができ、上記の実施形態は、特に指示がない限り、上記のいずれの詳細にも限定されず、添付された請求項の範囲内にあると広く解釈され、したがって、請求項の範囲内に属する全ての修正及び変形例、又はそのような範囲に相当する解決策は、添付された請求項により包含されるものとする。
【図１ａ】
2018026350.tif 000003
【図１ｂ】
2018026350.tif 000004
【図２ａ】
2018026350.tif 000005
【図２ｂ】
2018026350.tif 000006
【図３ａ】
2018026350.tif 000007
【図３ｂ】
2018026350.tif 000008
【図４】
2018026350.tif 000009
【図５】
2018026350.tif 000010
【図６ａ】
2018026350.tif 000011
【図６ｂ】
2018026350.tif 000012
【図６ｃ】
2018026350.tif 000013
【図７】
2018026350.tif 000014
【外国語明細書】
2018026350000001.pdf
2018026350000002.pdf
2018026350000003.pdf
2018026350000004.pdf